(57)【要約】【課題】操作キーに対するユーザーの操作ミスを低減しつつ、素早い操作を実現可能とする。【解決手段】制御部１０は、操作された操作キーに対応するローマ字あるいはその組み合わせを日本語文字（仮名文字、漢字）に変換する作業を行う。キーボード１１において各操作キーが操作される際には、まず、ユーザー（ユーザーの指）がこの操作キーに触れない状態から、この操作キーに触れる状態に移行した第１のタイミングと、第１のタイミングの後においてユーザーが再びこの操作キーに触れない状態に移行した第２のタイミングとが存在する。第１のタイミングからの経過時間をカウントするタイマー１５も設けられる。第２のタイミングにおいて行われる変換動作の内容は、第２のタイミングにおける前記の経過時間に応じて異なる。【選択図】図１
2019140527.tif 000002
【特許請求の範囲】
【請求項１】
それぞれが異なる文字に対応した複数の操作キーが設けられ、前記操作キーがユーザーに操作されることによって文字入力が行われ、かつ連続して操作された前記操作キーに対応する文字の組み合わせを他の文字あるいは語に変換する変換動作が行われる入力受付装置であって、
前記ユーザーが前記操作キーを操作するに際し、前記ユーザーが当該操作キーに接触しない状態から接触した状態となった第１のタイミングと、当該第１のタイミングの後で前記ユーザーが当該操作キーと接触しない状態になった第２のタイミングを認識する操作キー状態認識部と、
前記第１のタイミングからの経過時間を認識するタイマーと、
前記第２のタイミングにおいて、前記経過時間に応じて、異なる内容の前記変換動作を行わせる変換制御部と、
を具備することを特徴とする入力受付装置。
【請求項２】
前記第１のタイミングの後で前記経過時間を表示する経過時間表示部を具備することを特徴とする請求項１に記載の入力受付装置。
【請求項３】
前記変換制御部は、予め設定された待機時間に対する前記経過時間の比率が前記第２のタイミングにおいて小さな場合に第１の変換動作、当該比率が大きな場合に第２の変換動作を切り替えて行うことを特徴とする請求項２に記載の入力受付装置。
【請求項４】
前記経過時間表示部は、前記比率を表示することを特徴とする請求項３に記載の入力受付装置。
【請求項５】
ローマ字入力方式の前記操作キーが用いられて日本語入力が行われ、
前記変換制御部は、子音に対応する前記操作キーと母音に対応する前記操作キーの操作が順次行われた際の前記母音に対応する前記操作キーが操作される際に、前記第２のタイミングにおいて、
前記第１の変換動作として、前記子音と前記母音の組み合わせを仮名文字に変換する動作を行い、
前記第２の変換動作として、前記子音と前記母音の組み合わせから変換された仮名文字を更に漢字に変換する動作を行う、
ことを特徴とする請求項３又は４に記載の入力受付装置。
【請求項６】
前記変換制御部は、前記経過時間が前記待機時間を超えた後においても前記第２のタイミングが認識できない場合に、前記第１の変換動作を行った後で、前記母音と前記子音の組み合わせに対応する仮名文字、又は前記母音に対応する仮名文字を一定間隔で出力させることを特徴とする請求項５に記載の入力受付装置。
【請求項７】
ローマ字入力方式の前記操作キーが用いられて英語入力が行われ、
前記変換制御部は、前記第２のタイミングにおいて、
前記第１の変換動作として、大文字小文字変換を行い、
前記第２の変換動作として、大文字小文字変換を行った上で大文字小文字変換後の語の前又は後にブランクを挿入する動作を行う、
ことを特徴とする請求項３又は４に記載の入力受付装置。
【発明の詳細な説明】
【技術分野】
【０００１】
本発明は、ユーザーが操作キーを操作し、かつ複数の操作キーが順次操作されることによって文字の変換動作が行われた後に文字入力が行われる入力受付装置に関する。
【背景技術】
【０００２】
パーソナルコンピューター、携帯電話やスマートフォン等の各種の携帯機器においては、キーボードや操作キー（タッチパネル等）が用いられ、これらにおける各キーをユーザーが押す（あるいは触る）ことによって、文字入力をすることができ、これによって、文章を作成して出力する、電子メールで送信する等の作業を行うことができる。ここで、例えばローマ字入力型のキーボードで日本語入力をする場合においては、キーを押した瞬間には入力は確定せず、例えば「上」と入力をする場合には、母音である「Ｕ」、母音である「Ｅ］キーを順次押した後に、「うえ」との仮表示が行われる。その後、変換操作のための操作キー（例えばスペースキー」を押し、候補が複数表示された後に、「上」を選択したうえで確定キー（例えばエンターキー）を操作することによって、正式に入力が確定する。
【０００３】
また、例えばスマートフォン等のように操作キーが小さくかつ隣接する操作キー同士が近接している場合には、ユーザーが所望の操作キーに隣接した操作キーに誤って触れる確率が高い。こうした誤操作をユーザーが認識しやすくするため、例えば一つの操作キーが操作された（例えば「Ｕ」キーが操作された）との認識は、この操作キーが触れられた時点ではなく、この操作キーが所定の短時間だけ指で触れられてから指が離れた時点で行われるような設定とされる。
【０００４】
また、特許文献１には、こうした動作を行わせる際に、小さな操作キーが触れられた際に、この操作キーに対応する文字と、この操作キーに隣接した操作キーに対応する文字とを候補として仮表示させ、この操作キーから指が離された際にこの操作キーに対応する文字の入力が確定される技術が記載されている。これによって、ユーザーの操作ミスをより低減することができると共に、必要となる操作の回数を減らすことができ、装置の耐久性も高めることができる。
【先行技術文献】
【特許文献】
【０００５】
【特許文献１】特開２００５−３０１３２２号公報
【発明の概要】
【発明が解決しようとする課題】
【０００６】
上記のように、ユーザーの指が操作キーから離れた時点で入力を確定させる構成とした場合には、ユーザーが操作キーを指で触れてから離すまでの間には一定の待機時間が必要となった。このため、複数の操作を連続して行う場合には、全ての操作を終了するまでに要する時間が長くなった。
【０００７】
このため、操作キーに対するユーザーの操作ミスを低減しつつ、素早い操作を実現可能とすることが望まれた。
【０００８】
本発明はこのような状況に鑑みてなされたものであり、上記課題を解決できる技術を提供することを目的とする。
【課題を解決するための手段】
【０００９】
本発明の入力受付装置は、それぞれが異なる文字に対応した複数の操作キーが設けられ、前記操作キーがユーザーに操作されることによって文字入力が行われ、かつ連続して操作された前記操作キーに対応する文字の組み合わせを他の文字あるいは語に変換する変換動作が行われる入力受付装置であって、前記ユーザーが前記操作キーを操作するに際し、前記ユーザーが当該操作キーに接触しない状態から接触した状態となった第１のタイミングと、当該第１のタイミングの後で前記ユーザーが当該操作キーと接触しない状態になった第２のタイミングを認識する操作キー状態認識部と、前記第１のタイミングからの経過時間を認識するタイマーと、前記第２のタイミングにおいて、前記経過時間に応じて、異なる内容の前記変換動作を行わせる変換制御部と、を具備することを特徴とする。
本発明の入力受付装置は、前記第１のタイミングの後で前記経過時間を表示する経過時間表示部を具備することを特徴とする。
本発明の入力受付装置において、前記変換制御部は、予め設定された待機時間に対する前記経過時間の比率が前記第２のタイミングにおいて小さな場合に第１の変換動作、当該比率が大きな場合に第２の変換動作を切り替えて行うことを特徴とする。
本発明の入力受付装置において、前記経過時間表示部は、前記比率を表示することを特徴とする。
本発明の入力受付装置は、ローマ字入力方式の前記操作キーが用いられて日本語入力が行われ、前記変換制御部は、子音に対応する前記操作キーと母音に対応する前記操作キーの操作が順次行われた際の前記母音に対応する前記操作キーが操作される際に、前記第２のタイミングにおいて、前記第１の変換動作として、前記子音と前記母音の組み合わせを仮名文字に変換する動作を行い、前記第２の変換動作として、前記子音と前記母音の組み合わせから変換された仮名文字を更に漢字に変換する動作を行う、ことを特徴とする。
本発明の入力受付装置において、前記変換制御部は、前記経過時間が前記待機時間を超えた後においても前記第２のタイミングが認識できない場合に、前記第１の変換動作を行った後で、前記母音と前記子音の組み合わせに対応する仮名文字、又は前記母音に対応する仮名文字を一定間隔で出力させることを特徴とする。
本発明の入力受付装置は、ローマ字入力方式の前記操作キーが用いられて英語入力が行われ、前記変換制御部は、前記第２のタイミングにおいて、前記第１の変換動作として、大文字小文字変換を行い、前記第２の変換動作として、大文字小文字変換を行った上で大文字小文字変換後の語の前又は後にブランクを挿入する動作を行う、ことを特徴とする。
【発明の効果】
【００１０】
上記の構成により、操作キーに対するユーザーの操作ミスを低減しつつ、素早い操作を実現可能とすることができる。
【図面の簡単な説明】
【００１１】
【図１】本発明の実施の形態に係る入力受付装置（パーソナルコンピューター）の構成を示すブロック図である。
【図２】本発明の実施の形態に係る入力受付装置において用いられるキーボードの構成の一例である。
【図３】従来の入力受付装置における動作の一例である
【図４】本発明の実施の形態に係る入力受付装置における動作の一例である
【図５】本発明の実施の形態に係る入力受付装置における動作を示すフローチャートである。
【発明を実施するための形態】
【００１２】
以下、本発明を実施するための形態について図面を参照して説明する。実施の形態となる入力受付装置は、キーボードを具備し、ユーザーによるキーボードの操作によって文字入力がなされるパーソナルコンピューター１であり、その構成を簡略化して図１に示す。実際にはこのパーソナルコンピューター１は、図１において記載されない構成要素（例えばメモリやハードディスク等）も具備するが、本発明と本質的には無関係である構成要素については、その記載は図１では省略されている。
【００１３】
このパーソナルコンピューター１においては、多数の操作キーの配列からなるキーボード１１が用いられている。このキーボード１１は、ローマ字入力方式で日本語入力が可能なように構成されている。入力信号処理部１２は、キーボード１１における各操作キーが操作されたか否かを判定し制御部１０（ＣＰＵ）に具体的にどの操作キーが操作されたかを伝える。
【００１４】
制御部（変換制御部）１０は、これによってユーザーから入力された内容（例えば文字で形成された文章）を認識し、その内容を電子ファイル化してメモリやハードディスクに記憶させる、あるいは更にこの電子ファイルをネットワークを介して送信する、等の操作を行わせる。この際、制御部１０は、操作された操作キーに対応するローマ字あるいはその組み合わせを日本語文字（仮名文字、漢字）に変換する作業も行う。また、操作キーの操作によって制御部１０が認識した文字、あるいは上記のように変換された後の文字を表示させるディスプレイである表示部１３が設けられる。ここでは、入力として確定した文字と共に、未確定である文字も仮表示される。
【００１５】
ここで、操作される際の操作キーの状態を詳細に認識する操作キー状態認識部１４が設けられる。キーボード１１において各操作キーが操作される際には、まず、ユーザー（ユーザーの指）がこの操作キーに触れない状態から、この操作キーに触れる状態に移行した第１のタイミングと、第１のタイミングの後においてユーザーが再びこの操作キーに触れない状態に移行した第２のタイミングとが存在する。操作キーには電気的スイッチが接続されているため、操作キー状態認識部１４は、第１のタイミング、第２のタイミングを電気的に認識することが可能である。制御部１０は、ある操作キーについて第１のタイミングが認識された場合に、この操作キーが操作されたと判断することができる。
【００１６】
また、第１のタイミングからの経過時間をカウントするタイマー１５も設けられる。これにより、制御部１０は、どの操作キーが操作されたかに加え、この操作キーにおいて、第２のタイミングにおける第１のタイミングからの経過時間を認識することができる。この経過時間は、1回の操作毎に測定される。
【００１７】
ここで、制御部１０が前記の変換動作を行うタイミングとしては、前記の第１のタイミングと、前記の第２のタイミングとがある。この際、第２のタイミングにおいて行われる変換動作の内容は、第２のタイミングにおける前記の経過時間に応じて異なる。また、このように第２のタイミングにおける経過時間に応じて変換動作の内容が異なるため、現時点での経過時間をユーザーに対して表示する経過時間表示部１６が前記の表示部１３と共に設けられる。ここでは、予め設定された時間（待機時間）に対するこの経過時間の比率が表示される。上記の変換動作の切り替えも、実際には第２のタイミングにおけるこの比率の値に応じて行われる。経過時間表示部１５と表示部１３とは、単一のディスプレイにおける異なる領域を用いて実現することもできる。
【００１８】
なお、上記の構成において、キーボード１１は、機械的に可動な操作キーが物理的に複数配列して構成され表示部１３、経過時間表示部１６とは別体で設けられているものとする。しかしながら、表示部１３、経過時間表示部１６をタッチパネルディスプレイとし、その中で同様の操作キーを仮想的に配列した表示を行い、この仮想的な配列（ソフトウェアキーボード）中でユーザーによってある操作キーに対応した箇所をユーザーの指が触れた場合に、入力信号処理部１２が指が触れた位置を認識することによって、この操作キーが押された認識することもできる。この場合には、実際には表示部１３、経過時間表示部１６とキーボード１１は一体化されていると考えることができ、以下に説明する制御を同様に行うことができる。
【００１９】
図２は、キーボード１１における各操作キーの配列（一部）と、表示部１３を示す。ここでは、キーボード１１の上側に、１行以上の文章が表示可能な表示部１３が用いられているものとする。ここでは、日本語文字のローマ字入力が行われるものとする。仮名文字から漢字への文字変換を行わせるための操作キー（変換キー１１Ａ）は下側に、その後、選択された漢字を確定させるための操作キー（確定キー１１Ｂ）は、右側に設けられているものとする。
【００２０】
まず、比較のために、この場合において文字入力を行う際の従来の方法の手順について説明する。図３は、図２の構成のキーボード１１を用いた場合において、この場合に「明日は、天気」という語句を入力する例について説明する。ここでは、キーボード１１において操作された操作キーがハッチングして示されている。なお、各操作キーが操作されたと認識するタイミングは、前記の通り、各操作キーが指で押されてから一定の短時間経過後に指が離された時点とすることができる。ただし、各操作キーが押された時点がこのタイミングであると認識させた場合においても、同様の動作を行わせることができる。
【００２１】
図３（ａ）では、この語句のうち、「明日は、」までが確定しており、その後の「天気」を入力する際の手順を示す。この場合、図３（ａ）に示されるように、「Ｔ」、「Ｅ」、「Ｎ」、「Ｋ」キーを順次操作した際には、母音である「Ｅ」が操作された時点で「Ｔ」、「Ｅ」は「て」に自動変換され、「Ｎ」は、子音である「Ｋ」が操作された際に「ん」に自動変換される。「Ｋ」については、これに続く文字が入力されないため、図３（ａ）に示されるように、表示部１３においては、「てんｋ」の状態で未確定となり「てんｋ」には、これが未確定の状態の仮表示であることを示す下線が設けられている。
【００２２】
その後、図３（ｂ）に示されるように、ユーザーが「Ｉ］を操作した場合には、「Ｋ」「Ｉ」が「き」に自動変換され、「てんき」が新たに仮表示となって下線付きで表示される。その後、図３（ｃ）に示されるように、変換キー１１Ａを操作することによって、「てんき」が、第１候補である「天気」に変換されて仮表示される。ただし、この段階ではまだ未確定の状態であるため、図３（ｂ）の状態と同様に、「天気」は下線付きで表示されると同時に、他の候補である「転機」、「転記」、「転帰」、「天機」も別枠で表示される。ユーザーが「天気」を希望せず「転機」を希望する場合には、再度変換キー１１Ａを操作する、あるいは別枠中でカーソルを「転機」に移動させることによって、「転機」が上記の「天気」に代わり表示される。
【００２３】
ここで、「天気」が希望である場合には、その後、図３（ｄ）に示されるように、ユーザーが確定キー１１Ｂを操作することにより表示された「天気」の下線が除去され、その前の「明日は、」と同様に、「天気」が確定する。これによって、「明日は、天気」という語句の入力が確定する。
【００２４】
上記の操作において、入力信号処理部が、各操作キー（上記の例では、「Ｔ」、「Ｅ」、変換キー１１Ａ等）が操作されたと認識するタイミングは、前記の通り、各操作キーが指で押されてから一定の短時間経過後に指が離された時点とすることができる。
【００２５】
次に、上記と同様の文字入力を行う際の上記のパーソナルコンピューター１における入力信号処理部１２の動作について、図４を基に説明する。図３の例においては、各動作を行わせるために操作キーが操作されたと認識するタイミングは、各操作キーか指で押された後に指が離された時点、又は各操作キーが指で押された時点とすることができた。これに対して、このパーソナルコンピューター１においては、操作キー状態認識部１４により、第１のタイミング（操作キーが押された時点）、第２のタイミング（操作キーが押された後に指が離された時点）が共に認識される。図４において、各操作キーが押されている間は、この操作キーは太線で囲まれて示され、その後にこの操作キーから指が離された時点(第２のタイミング）が図３と同様にハッチングで示されている。
【００２６】
また、経過時間表示部１６において、前記の第１のタイミングからの経過時間は、予め設定された待機時間に対する比率として、円グラフで示されているものとする。この比率は、図４においては、円グラフにおけるハッチングされた領域として示される。ただし、実際には表示部１３と経過時間表示部１６としては共通のディスプレイあるいはタッチパネルディスプレイを用いることができ、経過時間表示部１６の表示は、表示部１３における表示のうちで現在の制御の対象となっている文字の表示から離間した箇所で行うことができる。
【００２７】
図４（ａ）は、図３（ａ）と同じ状態、すなわち、「てんき」の「Ｋ」「Ｉ］による「き」を確定させる前の「Ｉ」を入力する前の状態を示す。図４（ｂ）は、この状態からユーザーが「Ｉ」を押した直後（第１のタイミング）の状態を示す。この電気機器１においては、「Ｉ」が押された時点でこれに対応した文字入力が行われ、「てんｋｉ」の状態で仮表示される。また、経過時間表示部１６においては、経過時間（上記の比率）は零として表示される。
【００２８】
この際に押された操作キー（「Ｉ］）から指が離され、第２のタイミングが認識されることによって、次の動作が行われるが、この際に行われる動作は、この時点での上記の経過時間に応じて異なる。図４（ｃ）は、経過時間が短い間で指が離された場合における動作（第１の変換動作）を示す。ここでは、この時点での経過時間は前記の待機時間の１／４であり、前記の円グラフではハッチング部分が経過時間、白い部分が残り時間に対応する。この状態では、図３（ｂ）と同様に、上記の入力「Ｋ］「Ｉ］が対応する仮名文字に変換された「き」が下線付きで仮表示される。
【００２９】
一方、図４（ｄ）は、第２のタイミングにおける経過時間が長い（待機時間の１／２である）場合における動作（第２の変換動作）を示す。ここでは、図３（ｃ）と同様に、「Ｋ］「Ｉ］による「き」が入力されたとした場合において未確定の部分となる「てんき」が漢字に変換された「天気」が仮表示されている。また、他の候補である「転機」、「転記」、「転帰」、「天機」も別枠において選択可能なように表示されることも同様である。
【００３０】
このように、この入力受付装置１においては、ユーザーが操作キーを押してから離すまでのタイミングによって、制御部１０は、異なる変換動作を行わせる。ここで、図３の例において図４（ｄ）と同様の状態とするため変換キー１１Ａの操作は不要となる。また、場合により図４（ｃ）の出力をユーザーが希望する場合には、ユーザーが「Ｉ］キーから素早く指を離せばよい。ユーザーは、このタイミングを経過時間表示部１６を見て認識することができる。このため、例えば図４（ｃ）の変換動作が行われるタイミングと、図４（ｄ）の変換動作が行われるタイミングとで、経過時間表示部１６における円グラフ全体あるいはその中でのハッチング部分の色を変えることが好ましい。
【００３１】
一方、図４（ｅ）は、第１のタイミングからの経過時間が待機時間を超えてから第２のタイミングが認識されなかった場合の動作（第３の動作）を示す。この場合には、制御部１０は、図４（ｃ）と同様に「Ｋ］「Ｉ］を仮名文字に変換した「き」を出力すると同時に、一定間隔で「き」を出力させる。すなわち、この場合には「き」が連続入力された場合と同様の出力が行われる。その後にユーザーが「Ｉ］キーから指を離して第２のタイミングが認識された場合には、図４（ｅ）のように「き」が連続的に打ち込まれた仮表示が行われる。なお、「Ｋ］「Ｉ」変換後の「き」を出力させた後で繰り返し出力される文字を「き」ではなく「Ｉ」に対応した「い」としてもよい。こうした設定は、ユーザーによって行わせることができる。
【００３２】
上記のような変換動作の切り替えは、第１のタイミングからの経過時間の待機時間に対する比率に応じて定められる。この待機時間あるいは図４（ｄ）の動作が行われるために必要な経過時間は、上記のどちらの動作を希望するかに応じてユーザーが第２のタイミングを設定可能な程度に長くすることが好ましい。一方、この時間が長い場合には図４（ｄ）（ｅ）の動作を行わせるためには長時間を要し文字入力に長時間を要する場合があるため、この待機時間は、例えば数秒と設定することができる。
【００３３】
なお、図４（ｃ）の状態から図４（ｄ）のように漢字変換を行う場合には、図３の場合と同様に、変換キー１１Ａを操作すればよい。
【００３４】
このように、この入力受付装置１においては、従来の入力受付装置において行われた動作を、ユーザーによる実際の操作をより少なくして同様に行わせることができる。上記の待機時間や動作の切り替えを行うまでの経過時間を適切に設定することにより、全ての文字入力を確定させるまでに要する時間も短くすることができる。このため、文字入力を効率的に行わせることができる。この際、上記のように表示部１３、経過時間表示部１６を用いることにより、ユーザーの操作ミスも低減される。
【００３５】
図５は、この際の制御部１０の動作を示すフローチャートである。この動作は、操作キーに対する操作が行われる（Ｓ１）度に行われる。ここで、操作キーに対する操作が行われるとは、ある一つの操作キーが押される、あるいはこの操作キーがタッチパネル上のものである場合には触れられることを意味する。これにより、制御部１０は、入力信号処理部１２によって、どの操作キーが操作されたかを認識すると共に、この時点（第１のタイミング）を認識する（Ｓ２）なお、この際、例えばＳｈｉｆｔキーと「Ａ」キーの組み合わせのように、２つの操作キーが同時に操作されたことによって一つの操作とみなす場合もあり、この場合には、一方の操作キー（この場合には「Ａ」キー）が操作されたタイミングを第１のタイミングとすることができる。
【００３６】
その後、制御部１０は、図４（ａ）に示されたように、この操作キーに対応する文字出力（図４（ｂ）においては「ｉ」）を表示部１３で行わせる（Ｓ３）。この段階では未確定であるために、下線付きあるいは文字飾り付きで、これ以前の未確定の文字と同様に表示される。次に、制御部１０は、この文字入力に際してこの時点で変換が必要か否かを判定する（Ｓ４）。この判定は、例えば、入力される文字が母音である場合には直前の未確定の子音の文字を組み合わせて変換を要するものとし、入力される文字が子音である場合には変換をせずにそのまま未確定とするように、行われる。変換を要さない場合（Ｓ４：Ｎｏ）には、次の操作を待つ（Ｓ１）。
【００３７】
変換を要する場合（Ｓ４：Ｙｅｓ）には、タイマー１５は、第１のタイミングからの経過時間をカウントし、この経過時間が待機時間を超えない間（Ｓ６：Ｎｏ）、入力信号処理部１２によって操作された操作キーからユーザーの指が離れたと認識される（Ｓ７：Ｙｅｓ）まで、その進行状況を、前記のように比率として経過時間表示部１６で表示する（Ｓ５）。
【００３８】
操作キーからユーザーの指が離れたと認識されたら（Ｓ７：Ｙｅｓ）、この時点が第２のタイミングと認識され、この時点での経過時間の待機時間に対する比率が認識される（Ｓ８）。この後に行われる変換処理は、予め設定された閾値とこの比率の大小関係に応じて行われる（Ｓ９）。この比率が閾値以下である場合（Ｓ９：Ｙｅｓ）には、制御部１０は、図４（ｃ）に示された変換動作（第１の変換動作）を行い（Ｓ１０）、結果を表示部１３で表示（仮表示）させる。この比率が閾値を超えていた場合（Ｓ９：Ｎｏ）には、制御部１０は、図４（ｄ）に示された変換動作（第２の変換動作）を行い（Ｓ１１）、結果を表示部１３で同様に表示させる。どちらの場合も、これで変換動作は終了し、次の操作（Ｓ１）を待つ。
【００３９】
一方、操作キーから指が離れる前に経過時間が待機時間を超えた場合（Ｓ６：Ｙｅｓ）には、経過時点が待機時間を超えた時点から、図４（ｅ）に示されたように、図４（ｂ）と同様の文字を周期的に出力する動作（第３の動作）が行われる（Ｓ１２）。この動作は、操作キーから指が離れたと認識される（Ｓ１３：Ｙｅｓ）まで繰り返され、操作キーから指が離れたと認識された場合（Ｓ１３：Ｙｅｓ）には、他の変換動作が行われた場合と同様に、次の操作（Ｓ１）を待つ。
【００４０】
上記の例では、キーボード１１が日本語文字のローマ字入力形式のものであるとされたが、他の言語、他の入力形式のものにおいても、同様に変換動作が行われる場合には、この変換動作を行わせる際に適用することができる。例えば、英語入力の場合においては、上記の図４（ｃ）における仮名文字変換に代わり、大文字小文字変換（第1の変換動作）を行ない、図４（ｄ）における漢字変換に代わり、上記の大文字小文字変換後の語の後（あるいは前）に更にブランクを挿入するような変換（第２の変換動作）をすることができる。大文字小文字変換の際には、候補となる類似語を表示させてもよい。このように、上記の構成は、言語の特徴に応じて変換内容を設定することによって、日本語入力の場合以外にも、適用が可能である。
【００４１】
上記の例では、キーボード１１と表示部１３、経過時間表示部１６とは物理的に別体とされたが、例えば携帯端末に代表されるように、これらが一体化されたタッチパネルディスプレイが用いられ、各操作キーが小さくかつ密集している場合には、ユーザーによる操作ミスの頻度が高いために、ユーザーによる操作の回数を少なくして文字入力を行うことができる上記の構成は有効である。
【００４２】
また、上記の例では経過時間を円グラフ上で表示する経過時間表示部１６が用いられたが、他の視覚的な表示方法を用いても、例えば砂時計を画像表示してもよい。あるいは、こうした視覚的な表示ではなく、小さな音量のビープ音等を用いてもよい。
【符号の説明】
【００４３】
１  パーソナルコンピューター（入力受付装置）
１０  制御部（変換制御部）
１１  キーボード
１２  入力信号処理部
１１Ａ  変換キー
１１Ｂ  確定キー
１３  表示部
１４  操作キー状態認識部
１５  タイマー
１６  経過時間表示部
【図１】
2019140527.tif 000003
【図２】
2019140527.tif 000004
【図３】
2019140527.tif 000005
【図４】
2019140527.tif 000006
【図５】
2019140527.tif 000007